(57)【要約】【課題】耐久性と防水性に優れた樹脂シート材を用いた場合でも、正しく機能する選択ボタンを作製する。【解決手段】情報収集装置は、通信モジュールが実装される第１樹脂層と、第１樹脂層に接着される第２樹脂層と、を備え、第１樹脂層は、複数の選択ボタンの各位置に対応づけて２つずつ設けられる複数の接点と、通信モジュールの複数の端子のそれぞれに接続される複数の端子部と、複数の接点のそれぞれと複数の端子部のそれぞれとを電気的に接続する複数の導通パターンとを有する第１面を備え、第２樹脂層は、対応する２つの接点ごとに設けられる複数の接点導通部を有する第２面を備え、第１面および第２面のいずれか一方の反対側に設けられる第３面は、複数の選択ボタンのそれぞれの押下位置を示す複数のボタン操作部を有し、複数の選択ボタンのそれぞれに対応する接点と、この接点に対向配置される接点導通部との周囲には、該接点と該接点導通部との間の空気を分散させる空気分散部が設けられる。【選択図】図１
2014206920.tif 000002
【特許請求の範囲】
【請求項１】
使用者が押圧可能な複数の選択ボタンと、
使用者の識別情報と押圧された選択ボタンの情報とを少なくとも記憶可能で、記憶された情報をホスト装置に無線送信可能な通信モジュールと、を備えたシート状の情報収集装置であって、
前記通信モジュールが実装される第１樹脂層と、
前記第１樹脂層に接着される第２樹脂層と、を備え、
前記第１樹脂層は、前記複数の選択ボタンの各位置に対応づけて２つずつ設けられる複数の接点と、前記通信モジュールの複数の端子のそれぞれに接続される複数の端子部と、前記複数の接点のそれぞれと前記複数の端子部のそれぞれとを電気的に接続する複数の導通パターンとを有する第１面を備え、
前記第２樹脂層は、対応する２つの前記接点ごとに設けられる複数の接点導通部を有する第２面を備え、
前記第１面および前記第２面のいずれか一方の反対側に設けられる第３面は、前記複数の選択ボタンのそれぞれの押下位置を示す複数のボタン操作部を有し、
前記複数の選択ボタンのそれぞれに対応する前記接点と、この接点に対向配置される前記接点導通部との周囲には、該接点と該接点導通部との間の空気を分散させる空気分散部が設けられることを特徴とする情報収集装置。
【請求項２】
前記空気分散部は、前記複数のボタン操作部の少なくとも一部に設けられ、対応する前記接点および前記接点導通部の間の空気を前記ボタン操作部の表面から逃がす孔であることを特徴とする請求項１に記載の情報収集装置。
【請求項３】
前記複数のボタン操作部は、人間の指が触れる操作面と、この操作面の端部に設けられる段部とを有し、
前記孔は、前記段部に設けられることを特徴とする請求項２に記載の情報収集装置。
【請求項４】
前記第１面および前記第２面の間に配置されて、前記第１面および前記第２面を接着するためのシール剤を備え、
前記空気分散部は、前記シール剤の一部を除去して形成される、空気の流れる通気孔であることを特徴とする請求項１に記載の情報収集装置。
【請求項５】
前記通気孔は、対向配置される前記接点および前記接点導通部の間の空気を前記第１樹脂層および前記第２樹脂層の外側に逃がせるように、前記シール剤の端面にまで達することを特徴とする請求項４に記載の情報収集装置。
【請求項６】
対向配置される前記接点および前記接点導通部の周囲には、前記シール剤が存在せず空気を分散させることが可能な非シール部が設けられ、
前記通気孔は、異なる２以上の前記非シール部同士で空気が分散されるように前記非シール部同士を接続することを特徴とする請求項４に記載の情報収集装置。
【請求項７】
前記第１樹脂層および前記第２樹脂層の材料は、ＰＥＴ（ポリエチレンテフタレート）またはＰＰ（ポリプロピレン）を含むことを特徴とする請求項１乃至６のいずれかに記載の情報収集装置。
【請求項８】
使用者が押圧した前記選択ボタンの情報を取り消すための取消ボタンを備え、
前記通信モジュールは、ＩＣチップと、このＩＣチップに電源電圧を供給するボタン電池と、を有し、
前記ＩＣチップは、
押圧された前記選択ボタンを特定する情報と、押圧された時刻情報とを時系列で記憶する記憶部と、
前記記憶部に情報を記憶する制御を行う制御部と、
前記ホスト装置との間で近接無線通信を行う無線通信部と、を有し、
前記制御部は、前記取消ボタンが押圧されると、前記取消ボタンが押圧される直前に押圧された前記選択ボタンの押圧情報を取り消す旨の情報を前記記憶部に記憶するか、あるいは前記押圧情報を前記記憶部から削除することを特徴とする請求項１乃至７のいずれかに記載の情報収集装置。
【発明の詳細な説明】
【技術分野】
【０００１】
本発明は、ボタンの押圧情報を、通信モジュールを介してホスト装置に無線送信可能なシート状の情報収集装置に関する。
【背景技術】
【０００２】
紙などの折り畳み可能なシート材に通信機能を内蔵させて、ある限られた期間だけ外部との無線通信を行い、その期間が終了すると、廃棄することを前提した装置が提案されている（特許文献１参照）。
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【先行技術文献】
【特許文献】
【０００３】
【特許文献１】特表２００８−５１６２４８号公報
【発明の概要】
【発明が解決しようとする課題】
【０００４】
しかしながら、紙は、容易に破損してしまうため、上述した装置のシート材として紙を用いると、長期間での使用には耐えられない。また、紙は、防水性も悪いため、水等の液体に触れないように、取扱いに注意が必要となり、いったん濡れてしまうと、使い物にならなくなるおそれがある。
【０００５】
例えば医療目的で、この種の装置を患者に提供する場合、治療に必要な一定期間内は、患者がこの装置を使い続けることができるように、ある程度の耐久性と防水性が必要とされるが、紙で作製すると、上述した耐久性と防水性の問題から、患者の使い方によっては、事前に想定した使用期間よりも短い期間しか使えない場合がありうる。
【０００６】
一方、紙よりも丈夫な樹脂（例えばプラスチック）をシート材として用いて上記の装置を作製する場合、耐久性と耐水性についての不安は解消するが、密封性が強すぎて、２枚の樹脂層によって選択ボタンを作製したときに、選択ボタンを指で強く押下しても、選択ボタンの接点導通部が接点に接触せず、ボタンとして正常に機能しないおそれがある。
【０００７】
本発明は、上述した問題点に鑑みてなされたものであり、その目的は、耐久性と防水性に優れた樹脂シート材を用いた場合でも、正しく機能する選択ボタンを作製可能なシート状の情報収集装置を提供するものである。
【課題を解決するための手段】
【０００８】
上記の課題を解決するために、本発明の一態様では、使用者が押圧可能な複数の選択ボタンと、
使用者の識別情報と押圧された選択ボタンの情報とを少なくとも記憶可能で、記憶された情報をホスト装置に無線送信可能な通信モジュールと、を備えたシート状の情報収集装置であって、
前記通信モジュールが実装される第１樹脂層と、
前記第１樹脂層に接着される第２樹脂層と、を備え、
前記第１樹脂層は、前記複数の選択ボタンの各位置に対応づけて２つずつ設けられる複数の接点と、前記通信モジュールの複数の端子のそれぞれに接続される複数の端子部と、前記複数の接点のそれぞれと前記複数の端子部のそれぞれとを電気的に接続する複数の導通パターンとを有する第１面を備え、
前記第２樹脂層は、対応する２つの前記接点ごとに設けられる複数の接点導通部を有する第２面を備え、
前記第１面および前記第２面のいずれか一方の反対側に設けられる第３面は、前記複数の選択ボタンのそれぞれの押下位置を示す複数のボタン操作部を有し、
前記複数の選択ボタンのそれぞれに対応する前記接点と、この接点に対向配置される前記接点導通部との周囲には、該接点と該接点導通部との間の空気を分散させる空気分散部が設けられることを特徴とする情報収集装置が提供される。
【０００９】
空気分散部を設けたことで、選択ボタンの押下時に、対応する接点と接点導通部との間の空気の圧力が低減し、選択ボタンを強く押下しなくて済む。
【００１０】
空気分散部は、対応する前記接点および前記接点導通部の間の空気を前記ボタン操作部の表面から逃がす孔でもよい。
【００１１】
この孔は、例えば、ボタン操作部の段部に設けてもよい。
【００１２】
また、空気分散部は、第１面と第２面とを接着するシール剤の一部を除去して形成される、空気の流れる通気孔でもよい。
【００１３】
この通気孔は、シール剤の端面まで達していてもよい。
【００１４】
この通気孔は、非シール部同士を接続して空気を分散させるものでもよい。
【００１５】
前記第１樹脂層および前記第２樹脂層の材料は、ＰＥＴ（ポリエチレンテフタレート）またはＰＰ（ポリプロピレン）を含んでいてもよい。
【００１６】
使用者が押圧した前記選択ボタンの情報を取り消すための取消ボタンを備え、前記取消ボタンが押圧されると、前記取消ボタンが押圧される直前に押圧された前記選択ボタンの押圧情報を取り消す旨の情報を前記記憶部に記憶するか、あるいは前記押圧情報を前記記憶部から削除してもよい。
【発明の効果】
【００１７】
本発明によれば、耐久性と防水性に優れた樹脂シート材を用いた場合でも、正しく機能する選択ボタンを作製できる。
【図面の簡単な説明】
【００１８】
【図１】本発明の一実施形態に係る情報収集装置の外観図。
【図２】情報入力面の一例を示す図。
【図３】通信モジュール１０の概略構成を示すブロック図。
【図４】ＡＳＩＣ１２の内部構成の一例を示すブロック図。
【図５】治療経過記録カード１の元となる樹脂シート材３０を展開した図。
【図６】樹脂層３０ｂの情報入力面２の側面付近に、裏側の面まで貫通する小さな孔５１ａを設けた例を示す図。
【図７】図１の治療経過記録カード１の使用手順の一例を示すフローチャート。
【図８】第１の実施形態に係る治療経過記録カード１の製造工程を説明する図。
【発明を実施するための形態】
【００１９】
以下、本発明の実施の形態について、詳細に説明する。図１は本発明の一実施形態に係る情報収集装置の外観図である。図１の情報収集装置は、プラスチック等の樹脂シートからなるシート状の治療経過カード１であり、折り畳み式になっていて、展開すると図２のような情報入力面２が現れる。この情報入力面２は、利用者が自らの指でボタンを選択押下する面である。
【００２０】
紙ではなく樹脂シートを用いることが本実施形態の特徴の一つである。これは、紙は折れたり、めくれたりしやすく、耐久性が悪いという問題がある上に、水等の液体が触れると、外形が変形して、乾いても元の形態に戻らないという防水性上の問題もあるためである。ただ、紙は材料が安価であるという利点がある。そこで、本実施形態では、紙と同様に安価な材料であるが、紙よりも耐久性と防水性に優れた樹脂シートを用いることにしたものである。
【００２１】
図１の治療経過記録カード１は、患者が病院や薬局等の医療機関等から直接または間接に受け取るものであり、例えば特定の病気に特化したものである。すなわち、各病気ごとに、別種類の治療経過記録カード１が設けられる。あるいは、複数の病気に共通して用いることが可能な治療経過記録カード１が設けられてもよい。
【００２２】
図１の治療経過記録カード１は、患者が医師や薬剤師の指導の下で、治療を行っている最中の治療経過を患者のボタン操作により逐次記録する機能と、記録した情報を医療機関等のホストコンピュータに無線で伝送する機能とを備えている。また、この治療経過記録カード１は、所定期間が経過すると、廃棄することを前提としており、部材コストをできるだけ抑えている。ただ、上述したように、樹脂シートを用いることで、紙シートを用いた場合よりも、耐久性と防水性を向上させている。樹脂シートの具体的な材料は、特に問わないが、例えば、ＰＥＴ（ポリエチレンテフタレート）またはＰＰ（ポリプロピレン）を含む材料が考えられる。また、樹脂シートは、単体の材料で形成する場合だけでなく、複数の材料を用いた複合積層体でもよい。例えば、ＰＰと紙の複合積層体、ＰＥＴと紙の複合積層体など、種々の材料の組合せが考えられる。
【００２３】
図１の治療経過記録カード１の情報入力面２は、例えば図２に示すように、第１入力面２ａ、第２入力面２ｂおよび第３入力面２ｃからなる３面構成である。第１入力面２ａには、例えばスタートボタン３と取り消しボタン４が設けられている。第２入力面２ｂには、例えば特定の病気の治療効果を判断するための基本項目に関連する項目１〜６用の選択ボタン５ａ，５ｂ，５ｃ，５ｄ，５ｅ，５ｆが設けられている。このうち、項目１用の選択ボタン５ａは、例えば、３種類の状態のうち１つを選択押下するための３つのボタンに分かれている。項目２〜６用の選択ボタン５ｂ〜５ｆは、それぞれ１つずつボタンからなる。
【００２４】
第３入力面２ｃには、特定の病気に罹った患者の各種症状を入力するための選択ボタンが配置されている。より具体的には、症状１〜６用の選択ボタン６ａ〜６ｆが一つずつ設けられている。患者は、症状１〜６のうち、該当する症状がある場合に、対応する選択ボタンを押下する。この他、第３入力面２ｃには、特定の病気の治り具合を判断するための所定の検査値用の選択ボタン６ｇが設けられている。この選択ボタン６ｇは、例えば６つのボタンからなり、患者は自分の検査値に対応する選択ボタンを押下する。
【００２５】
なお、ボタン操作面２を構成する第１入力面２ａ、第２入力面２ｂおよび第３入力面２ｃ内に設けられる選択ボタン６ａ〜６ｇの種類、数および配置は任意であり、病気ごとに異なったものになりうる。以下では、情報入力面２に設けられているすべてのボタンを総称して選択ボタンと呼ぶ。
【００２６】
患者は、治療経過記録カード１を初めて使用するときに、スタートボタン３を押圧する。その後、患者は、予め医療機関等から指示されたタイミングで、該当する選択ボタンを押下する。患者が操作を誤って、異なる選択ボタンを押下してしまった場合は、その直後に取り消しボタン４を押下することで、その直前の選択ボタンの操作を取り消すことができる。
【００２７】
患者が押圧したすべてのボタンの情報は、治療経過記録カード１内に内蔵された通信モジュール１０に自動的に記憶される仕組みになっている。
【００２８】
図３は通信モジュール１０の概略構成を示すブロック図である。図３の通信モジュール１０は、紙厚よりも薄い薄膜状であり、フィルム基板１１の上に実装されたＡＳＩＣ（Application Specific Integrated Circuit）１２と、水晶振動子１３と、ボタン電池１４と、スピーカ１５と、フィルム基板１１の長辺に沿って形成される複数の端子１６と、フィルム基板１１の外縁部に沿って形成されるアンテナパターン１７とを有する。
【００２９】
図３は通信モジュール１０の内部構成を機能化したブロック図であり、実際の各回路部品やパターンの配置やサイズ、形状、個数は任意に変更可能である。
【００３０】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００３１】
記憶部２１は、制御部２２の制御に基づいて、患者が押圧したボタンを特定する情報と、そのボタンが押圧された時刻情報とを組にして記憶する。
【００３２】
制御部２２の機能が低い場合は、記憶部２１にいったん記憶した情報を消去したり、上書きしたりすることができない可能性が高い。そこで、取り消しボタン４が押されると、制御部２２はその直前に記憶部２１に記憶した情報を消去するのではなく、その情報が誤りである旨の情報を追加で記憶する。これにより、治療経過記録カードの情報を医療機関等のホストコンピュータで読み出したときには、記憶された各情報ごとに、その情報が正しいかどうかを簡易かつ正確に判別できる。
【００３３】
一方、制御部２２の機能が高い場合は、記憶部２１にいったん記憶した情報を消去したり、上書きすることもできる可能性が高い。そこで、取り消しボタン４が押されると、制御部２２はその直前に記憶部２１に記憶した情報を直接消去する。よって、記憶部２１内に誤った情報を記憶し続けなくて済み、記憶部２１内の記憶容量を有効活用できるとともに、ホストコンピュータ側で、読み出した情報が正しいかどうかを判断しなくて済み、読み出し処理を高速化できる。
【００３４】
このような取り消しボタン４を設けることで、その直前に押圧した選択ボタンの情報を取り消すことができ、患者は、何度でも、ボタン操作をやり直すことができ、間違いが許されないという精神的な負担から解放される。
【００３５】
無線通信部２３は、ホストコンピュータとの間で、いわゆるＮＦＣ（Near Field Communication、近接無線通信）やBluetooth（登録商標）等の非接触通信を行って、情報の送受を行う。無線通信部２３が無線通信に用いる方式や周波数帯域は特に制限されるものではなく、例えばＮＦＣの場合は13.56MHzの帯域でISO14443に準拠した無線方式で無線通信を行い、Bluetoothの場合は規格で定めた周波数（例えば２．４ＧＨｚ）で無線通信を行う。上述した記憶部２１に記憶された各種情報は、無線通信部２３を介してホストコンピュータに送信される。これにより、所定の期間にわたって、患者の状態がどのように変化したかを時系列的にきめ細かくホストコンピュータ側で一元的に管理でき、特定の病気に罹った患者の治療に役立てることができる。
【００３６】
無線通信の方式としてＮＦＣを採用する場合、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３７】
ボタン電池１４を搭載する以上、長期間使用すると、バッテリ切れを起こすが、本実施形態に係る治療経過記録カード１は、樹脂シート材を採用してある程度の耐久性と防水性は持たせているものの、電池を交換可能な構造は採用していないため、バッテリ切れを起こしたら、治療経過記録カード１自体を交換することを前提として、構造を簡略化している
【００３８】
図５は治療経過記録カード１の元となる樹脂シート材３０を展開した図である。図５樹脂シート材３０は、縦方向に延びる中央の折り目６１で折り畳み可能な２つの樹脂層３０ａ，３０ｂで構成されている。この折り目６１の両側の各樹脂層３０ａ，３０ｂには、それぞれ異なる接点や接点導通部３８等が設けられている。なお、これら２つの樹脂層３０ａ，３０ｂは、物理的に切り離されるものではない。
【００３９】
図５の樹脂層３０ａは、上層に配置されるものであり、樹脂層３０ａには、各選択ボタンに対応する接点導通部３８が形成されている。樹脂層３０ｂは、下層に配置されるものであり、樹脂層３０ｂには、各接点導通部３８に接触可能な接点３１，３２，３３ａ〜３３ｈ，３４ａ〜３４ｌが形成されている。この他、樹脂装置３０ｂには、通信モジュール１０の各端子が接続される端子部１９と、これら端子部１９および接点間を導通する導電パターン１８とが形成されている。図５では、導電パターン１８の一部の図示を省略しているが、各導電パターン１８は、対応する端子部１９と接点とを導通するように延在されている。
【００４０】
後述するように、樹脂層３０ｂでは、各接点および導電パターン１８が形成されて、端子部１９の位置に合わせて通信モジュール１０が実装された後に、ほぼ全面がシール剤５３でコーティングされる。そして、折り目６１を境目にして、樹脂層３０ｂの上に樹脂層３０ａを重ねて熱圧着することで、両層が強固に接着されて、図２のような外形になる。図２の情報入力面２は、樹脂層３０ａの図５に示した面の反対側の面である。このように、樹脂層３０ａ，３０ｂで通信モジュール１０は覆われて外見に現れなくなることから、外部からの衝撃に対する耐性が高くなる。
【００４１】
なお、樹脂層３０ｂの図５に示した面の反対側の面に情報入力面２を設けてもよい。以下では、樹脂層３０ｂにおける接点等が形成される面を第１面、樹脂層３０ａにおける接点導通部３８が形成される面を第２面、情報入力面２を第３面と呼ぶ。
【００４２】
上述したように、各選択ボタンは、樹脂層３０ａの接点導通部３８と樹脂層３０ｂの対応する接点とで構成されている。選択ボタンを押下していないときは、対応する接点導通部３８と接点とは物理的に離隔されており、選択ボタンを押下している間だけ、接点が接点導通部３８に接触し、接点に接続された導電パターン１８に電流が流れて、この電流を通信モジュール１０で検知して、どの選択ボタンがいつ押されたかという情報が記憶部２１に記憶される。
【００４３】
樹脂層３０ａ，３０ｂは、紙に比べてはるかに密封性が高いことから、樹脂層３０ａ，３０ｂ同士を接着したときに、接点導通部３８と対応する接点との間に存在する空気の逃げ道がないとすると、選択ボタンを押下したときに、対応する接点導通部３８と接点との間の空気がどこにも抜けられず、結果として、接点導通部３８と対応する接点とが接触しないおそれがある。接点導通部３８と対応する接点とを無理に接触させようとして、選択ボタンを強い力で押すと、接点導通部３８と接点との間の空気の圧力が高まって、樹脂層３０ａ，３０ｂの接着が部分的に剥がれるおそれもある。また、選択ボタンを強い力で押すことを患者に強要するのも著しく使い勝手を悪くする。
【００４４】
そこで、本実施形態では、図５に示すように、樹脂層３０ｂにシール剤５３をコーティングする際に、接点と接点導通部の間の空気を分散させて空気の圧力を低減させる空気分散部５１を設けている。この空気分散部５１は、接点の周囲から樹脂層３０ｂの端部まで延びる通気孔と、隣接する他の接点の周囲に空気を逃がす通気孔とを有する。
【００４５】
また、空気分散部５１を設ける代わりに、各接点の周囲に設けられるシール剤５３が存在しない領域（以下、非シール部）５２同士を互いに接触させて、接点の周囲の空気を分散させてもよい。
【００４６】
接点と接点導通部３８の周囲の空気は、上述した空気分散部５１を介して樹脂層３０ｂの外部に逃がさなくても、接点と接点導通部３８の周囲の空気の圧力が下がるだけでも、選択ボタンを押下したときに、接点導通部と接点とを接触させることができる。
【００４７】
以下に、図５の樹脂層３０ｂのパターン面に形成された空気分散部５１について詳細に説明する。樹脂層３０ｂのパターン面には、スタートボタン３に対応する接点３１と、取り消しボタン４に対応する接点３２と、選択ボタン５ａに対応する接点３３ａ〜３３ｃと、選択ボタン５ｂ〜５ｆのそれぞれに対応する接点３３ｄ〜３３ｈと、選択ボタン６ａ〜６ｆのそれぞれに対応する接点３４ａ〜３ｆと、選択ボタン６ｇに対応する接点３４ｇ〜３４ｌとが設けられている。
【００４８】
接点３１，３２の周囲にはそれぞれ別個の空気分散部５１が設けられ、これらの空気分散部５１は樹脂層３０ｂの端部にまで達している。
【００４９】
接点３３ａ〜３３ｃの周囲は空気分散部５１によりつながっており、また、接点３３ｃの周囲にある空気分散部５１は樹脂層３０ｂの端部にまで達している。
【００５０】
接点３３ｃ，３３ｆ，３３ｇ，３３ｈの周囲にある非シール部５２は互いにつながっており、空気を分散させて、空気の圧力を下げられるようにしている。
【００５１】
同様に、接点３３ａ，３３ｄ，３３ｅの周囲にある非シール部５２と、接点３４ｄ〜３３ｆの周囲にある非シール部５２と、接点３４ａ〜３４ｃの周囲にある非シール部５２と、接点３４ｇ〜３４ｌの周囲にある非シール部５２とは、それぞれつながっており、かつ空気分散部５１を介して非シール部５２内の空気を樹脂層３０ｂの外部に逃がせるようにしている。
【００５２】
なお、接点と接点導通部３８の周囲の空気を逃がすための空気分散部５１の具体的な形態は、上述した孔５１ａや非シール部５２には限定されない。例えば、図６は樹脂層３０ｂの情報入力面２、すなわち図５に示した面の反対側の面に設けられる各選択ボタンのボタン部５０の側面付近に、裏側の面まで貫通する小さな孔５１ａを設けた例を示す図である。
【００５３】
図６では、情報入力面２に、各選択ボタンに対応づけて、ボタン操作面５１ｂと、このボタン操作面５１ｂの端部に設けられる段部５１ｃとを設け、段部５１ｃに孔５１ａを設けている。段部５１ｃに孔５１ａを設ける理由は、ボタン操作面５１ｂは選択ボタンの押下時に人間の指が触れることから、指で孔５１ａを塞ぐおそれがあるためである。
【００５４】
図６のような孔５１ａを設ければ、選択ボタンが押下されたときに、対応する接点と接点導通部の間にある空気が孔５１ａを介して情報入力面２の表面側に抜けるため、接点と接点導通部を確実に接触させることができる。
【００５５】
図６の孔５１ａを設ける位置は、必ずしも選択ボタンの側面付近には限定されない。この孔５１ａは、選択ボタンの押下時に、対応する接点と接点導通部の間の空気を外部に逃がすためのものであるため、接点と接点導通部の間の空気に接している場所であれば、基本的にはどこに設けてもよい。ただし、上述したように、ボタン操作面５１ｂなどの人間の指で塞がれる可能性のある場所に孔を設けるのは望ましくない。
【００５６】
また、図６のような孔５１ａと図５に示した空気分散部５１を両方とも備えてもよいし、選択ボタンごとに、孔５１ａと空気分散部５１の少なくとも一方を設けるようにしてもよい。
【００５７】
図５に示す各接点の一端は導電パターン１８ａを介して接地端子に接続され、各接点の他端は導電パターン１８を介して端子部に接続されている。端子部１９には、接点の総数分の端子が設けられ、これに加えて、端子部１９の両端側には接地端子が設けられている。接地端子から延びる導電パターン（以下、接地パターン）１８ａは、樹脂層３ｂのパターン面の外縁に沿って、他の導電パターンと接点を取り囲むように形成されている。この接地パターン１８ａは、ノイズの低減を図るために、他の導電パターンよりも太く形成されている。
【００５８】
このように、すべての接点が、対応する端子と接地パターン１８ａとの間に接続されている。したがって、いずれかの接点の状態が変化すると、その変化した情報が、専用の端子を介して通信モジュール１０に伝達されることになる。通信モジュール１０内の記憶部２１は、接点の状態が変化した接点を特定する情報と、接点の状態が変化した時刻情報とを記憶する。
【００５９】
図７は図１の治療経過記録カード１の使用手順の一例を示すフローチャートである。まず、病院の医師または医療関係者は、処方箋に従って所定の薬が組み込まれた治療経過記録カード１を、ホストコンピュータに接続されたリーダにかざして、治療経過記録カード１を初期化した後に、治療経過記録カード１内の記憶部２１に患者を特定する情報を記憶する（ステップＳ１）。
【００６０】
その後、治療経過記録カード１を患者に手渡すか、あるいは郵送等にて患者に送付する（ステップＳ２）。治療経過記録カード１を受け取った患者は、治療経過記録カード１を開いて、最初にボタン選択を行う前に、スタートボタン３を押圧する（ステップＳ３）。その後、所定のタイミングで、該当する選択ボタンを押圧する（ステップＳ４）。所定のタイミングとは、病気ごとに、あるいは患者ごとに異なる可能性があるが、例えば医師から処方された薬剤を服用する直前や服用してから所定時間経過後である。
【００６１】
その後、医療機関から指定された期間が経過した後、あるいは患者の次の診療時に、治療経過記録カード１を医療機関に手持ちまたは送付する（ステップＳ５）。そして、医療機関の医師または医療関係者は、患者から治療経過記録カード１を受け取って、ホストコンピュータに接続されたリーダにかざして、治療経過記録カード１の記憶部２１に記憶された情報をホストコンピュータに読み込んで、画面に表示する（ステップＳ７）。例えば、医師は、画面に表示された治療経過記録カード１に記憶された情報を見ながら、患者の状態を確認して、患者の診察を行う（ステップＳ８）。
【００６２】
このように、治療経過記録カード１は、特定の病気に罹った患者の状態を時系列的に逐一記憶しているため、医師は、患者の記憶に頼らずに、患者の症状を正確かつ具体的に時系列的に把握でき、患者の治療を的確に行うことができ、誤診も防止できる。
【００６３】
図８は第１の実施形態に係る治療経過記録カード１の製造工程を説明する図である。以下、図８を用いて上述した第１の実施形態に係る治療経過記録カード１の製造工程を説明する。まず、図５に示す樹脂層３０ａの裏面側に所定の文字情報（例えば、図１や図２の表面の文字情報など）を印刷する（ステップＳ１１）。次に、図５に示す樹脂層３０ａに接点導通部を形成するとともに、樹脂層３０ｂに接点、端子部１９および導通パターン１８を形成する（ステップＳ１２）。これらは、例えば導電性カーボン、酸化銅または銀などを用いてシルク印刷により形成される。
【００６４】
次に、樹脂層３０ｂ内の非シール部と空気分散部５１の場所を除いたほぼ全面に、異方導電性接着剤を塗布する（ステップＳ１３）。この異方導電性接着剤は、一方向（Ｘ方向）のみに導電性を持っており、端子部１９の各端子上や導電パターン上に塗布されても、異なる端子同士や導電パターン同士が短絡するおそれはない。
【００６５】
なお、端子部１９の上のみに導電性接着テープを貼付して、他の部分には非導電性の接着剤を塗布してもよい。これら接着剤または接着テープの基本材料は、エポキシ系樹脂またはアクリル系樹脂であり、導電材料の粒子を配合したものである。
【００６６】
次に、樹脂シート材３０の外形を金型で抜いて整形するとともに、樹脂層３０ａ，３０ｂの境界部分と、各樹脂層を３分割したボタン操作面２ａ〜第３面２ｃの境界部分とに、罫線加工により折り目６１をつける（ステップＳ１４）。
【００６７】
次に、樹脂層３０ｂのパターン面上に、通信モジュール１０を実装する（ステップＳ１５）。ここでは、通信モジュール１０の端子１６と第１パターン面上の端子部１９とを位置合わせして、上述した異方導電性接着剤または導電性テープを介して両者を熱圧着する。
【００６８】
次に、樹脂層３０ｂが樹脂層３０ａの上になるように折り目６１で折り曲げて両樹脂層を貼り合わせて、ローラにて熱圧着する（ステップＳ１６）。以上の工程を経て、図２に示す治療経過記録カード１が完成する。その後、ボタン操作面２ａ〜第３面２ｃの折り目で折り曲げて図１の形態にする。
【００６９】
このように、本実施形態に係る治療経過記録カード１は、耐久性と防水性を持たせるべく樹脂シート材を用いて作製し、かつ、選択ボタンの押下時に、選択ボタンの接点と接点導通部とが確実に接触するように、接点と接点導通部との間の空気の圧力を下げるための空気分散手段５１を設けるため、選択ボタンの操作が容易になり、かつ紙製のカードで問題となった耐久性と防水性の問題も解消できる。
【００７０】
（その他の変形例）
上述した本実施形態における各種ボタンの配置および数、各ボタンに対応した接点の配置および数、各接点に接続される接点導通部３８の形態、端子部１９の端子の数等は一例であり、情報収集装置の使用目的に応じて、任意に変更して構わない。
【００７１】
第１および第２の実施形態に係る情報収集装置は、種々の病気の治療に適用可能である。また、その用途も、必ずしも医療目的でなくてもなく、アンケート収集など、何らかの情報を記録して、記録した情報を無線通信でホストコンピュータに送信可能なものであれば、どのような用途に用いてもよい。
【００７２】
本実施形態に係る情報収集装置の組立構造は、図１〜図６に示したものに限定されない。また、通信モジュール１０は、必ずしも電池駆動型でなくてもよく、ＮＦＣで受信した電力を蓄積して、その蓄積電力で無線通信を行うバッテリレスにしてもよい。
【００７３】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７４】
１  治療経過記録カード、２  情報入力面、２ａ  第１入力面、２ｂ  第２入力面、２ｃ  第３入力面、３  スタートボタン、４  取り消しボタン、５ａ〜５ｆ、６ａ〜６ｇ  選択ボタン、１０  通信モジュール、１１  フィルム基板、１２  ＡＳＩＣ、１３  水晶振動子、１４  ボタン電池、１５  スピーカ、１６  端子、１７  アンテナパターン、２１  記憶部、２２  制御部、２３  無線通信部、３０  樹脂シート材、３０ａ，３０ｂ  樹脂層、３１，３２，３３ａ〜３３ｈ，３４ａ〜３４ｌ  接点、３８  接点導通部、５１  空気分散部、５１ａ  孔、５１ｂ  ボタン操作面、５１ｃ  段部、５２  非シール部
【図１】
2014206920.tif 000003
【図２】
2014206920.tif 000004
【図３】
2014206920.tif 000005
【図４】
2014206920.tif 000006
【図５】
2014206920.tif 000007
【図６】
2014206920.tif 000008
【図７】
2014206920.tif 000009
【図８】
2014206920.tif 000010